(57)【要約】【課題】デカール機構の用紙搬送速度に対する下流側の用紙搬送ローラ対の用紙搬送速度の不整合に対し、用紙の波打ち、シワ等の不具合を発生させない、コンパクトな用紙搬送装置を提供すること。【解決手段】デカーラ機構と搬送ローラ対との間の搬送経路に第１のガイド部材の側から対向する第２のガイド部材の側に用紙を案内する補助ガイドを備え、前記補助ガイドの用紙を案内するガイド面が所定位置から第１のガイド部材の側へ変位可能であること。【選択図】図４
2009196803.tif 000002
【特許請求の範囲】
【請求項１】
用紙に形成されたカールを修正するデカーラ機構と、
相互に対向する第１のガイド部材と第２のガイド部材から成り、前記デカーラ機構から排出される用紙を下流側へ案内する搬送経路を構成するガイド対と、
前記ガイド対の下流側に位置し、用紙を下流側に搬送する搬送ローラ対と、
を備える用紙搬送装置において、
前記第１のガイド部材の側から前記第２のガイド部材に向かって前記搬送経路内の所定位置まで用紙の移動方向に対し斜行状に突出する共に、用紙から受ける作用力に応じて前記所定位置から第１のガイド部材の側に変位する補助ガイドを前記搬送経路に備えることを特徴とする用紙搬送装置。
【請求項２】
前記補助ガイドは、シート状の弾性材で構成され、当該シート状の弾性材の変形により前記所定位置から第１のガイド部材の側へ変位することを特徴とする請求項１に記載の用紙搬送装置。
【請求項３】
前記補助ガイドは、前記第１のガイド部材に回転可能に支持される補助ガイド部材と、前記補助ガイド部材を前記所定位置まで突出するように前記補助ガイド部材を付勢する付勢手段とで構成され、前記補助ガイド部材は前記用紙から受ける作用力に応じて前記所定位置から第１のガイド部材の側に変位することを特徴とする請求項１に記載の用紙搬送装置。
【請求項４】
前記補助ガイドが用紙の移動方向と直交する幅方向に渡って複数配することを特徴とする請求項１乃至３の何れか１項に記載の用紙搬送装置。
【請求項５】
前記補助ガイドが前記搬送経路に対して互いに対向するように複数配することを特徴とする請求項１乃至４の何れか１項に記載の用紙搬送装置。
【発明の詳細な説明】
【技術分野】
【０００１】
本発明は、用紙に形成されたカールを修正するカール修正装置から用紙をスムーズに搬送する用紙搬送装置等に関する。
【背景技術】
【０００２】
近年ハードローラにソフトローラ、あるいは複数のローラで懸架された無端ベルトを押圧して形成された広幅のニップに未定着用紙を通過させる広幅ニップタイプの定着装置が普及している。このような定着装置の性質として定着後の用紙に大きなカールが形成されることあり、一般に定着部の下流側、あるいは定着装置の下流側の用紙搬送装置等に定着ニップで生じる用紙変形（カール）を相殺するような逆方向のカールを形成するデカーラ手段を併用するカール防止技術が提案されている。
【０００３】
特許文献１に記載の技術は、定着部ローラと定着部ベルトにより凹形状の定着部ニップが形成される定着部の下流側に、ハード材料の搬送ローラとソフト材料の圧接ローラにより定着部ニップの凹形状と逆向きの凸形状のデカーラニップが形成されるデカーラ部を設けた定着装置に関する技術である。
【０００４】
特許文献２に記載の技術は、公報の図１に示すように両面搬送パス５７上において定着装置４０の下流側に位置し反転ゲート部と反転機構部５６の間にカール修正機構が配設されている。公報の図２はカール修正装置７０の概略構成図であり、剛性ローラ７１と弾性ローラ７２の組み合わせの用紙搬送ニップを剛性ローラ７１に対して公転させ、用紙搬送ニップの下流側に位置する傾斜ガイド部７７ａの面に対して定着済み用紙を突入させる突入角度（排出角度）を変えることにより定着済み用紙に対するカール矯正機能を制御している。そして、用紙種別等に応じて突入角度を切り替えることに薄紙から厚紙に至る広い紙種に対して逆方向のカールを発生させることもなく定着済み用紙のカールを適正に修正できるという技術である。
【特許文献１】特開２００３−２９５６５７号公報
【特許文献２】特開２００６−１６８９４０号公報
【発明の開示】
【発明が解決しようとする課題】
【０００５】
上記のようなデカーラ機構を定着ニップ、あるいは定着装置の下流側に配置すると、確かにカール修正の性能には優れている。ところが、コンパクトな用紙搬送装置を実現するために、デカーラ機構の下流側に用紙規制するガイド板と用紙を搬送する搬送ローラを配設するようにすると、用紙の先端が搬送ローラ部を通過する時にデカーラ部より上流側に位置する用紙の領域に不規則な変形、波打ち、カール等が生じるという不具合が発生した。不具合の症状は後端に向かって概してひどくなる傾向が見られた。また、両面印刷ジョブを開始した直後は暫く正常であったものが、印刷処理進行に伴い不具合が発生し、次第に不具合の症状が酷くなるといった傾向も見られた。デカーラ機構の弾性ローラを交換した途端に異常が発生、逆に正常に戻るような事態も見られた。
【０００６】
そこで、種々の実験等及び検討を繰り替えたところ、デカーラ機構の用紙搬送速度と搬送ローラの用紙搬送速度の不整合が主因であることが判明した。デカーラ機構の駆動と搬送ローラの駆動を独立に制御して、両者の速度を種々の条件下で常に整合させるような方法も考えられるが、装置のコンパクト性及びコストの面で新たな課題が生じた。従って、コンパクト性に優れ、波打ち・シワ等の不具合を発生させない用紙搬送装置を提供することが望まれていた。
【０００７】
本発明は、上述の課題に鑑みてなされたものである。その目的は、デカール機構の用紙搬送速度に対する下流側の用紙搬送ローラ対の用紙搬送速度の不整合に対し、用紙の波打ち、シワ等の不具合を発生させない、コンパクトな用紙搬送装置を提供することにある。
【課題を解決するための手段】
【０００８】
前記目的は、下記記載した発明により達成される。
１．用紙に形成されたカールを修正するデカーラ機構と、相互に対向する第１のガイド部材と第２のガイド部材から成り、前記デカーラ機構から排出される用紙を下流側へ案内する搬送経路を構成するガイド対と、前記ガイド対の下流側に位置し、用紙を下流側に搬送する搬送ローラ対と、
を備える用紙搬送装置において、
前記第１のガイド部材の側から前記第２のガイド部材に向かって前記搬送経路内の所定位置まで用紙の移動方向に対し斜行状に突出する共に、用紙から受ける作用力に応じて前記所定位置から第１のガイド部材の側に変位する補助ガイドを前記搬送経路に備えることを特徴とする用紙搬送装置。
２．前記補助ガイドは、シート状の弾性材で構成され、当該シート状の弾性材の変形により前記所定位置から第１のガイド部材の側へ変位することを特徴とする１に記載の用紙搬送装置。
３．前記補助ガイドは、前記第１のガイド部材に回転可能に支持される補助ガイド部材と、前記補助ガイド部材を前記所定位置まで突出するように前記補助ガイド部材を付勢する付勢手段とで構成され、前記補助ガイド部材は前記用紙から受ける作用力に応じて前記所定位置から第１のガイド部材の側に変位することを特徴とする１に記載の用紙搬送装置。
４．前記補助ガイドが用紙の移動方向と直交する幅方向に渡って複数配することを特徴とする１乃至３の何れか１に記載の用紙搬送装置。
５．前記補助ガイドが前記搬送経路に対して互いに対向するように複数配することを特徴とする１乃至４の何れか１に記載の用紙搬送装置。
【発明の効果】
【０００９】
本発明に係る画像形成装置によれば、定着ニップ部で形成された用紙のカールを修正するデカール機構による用紙搬送速度とデカール機構の下流側に位置する搬送ローラ対による用紙搬送速度の間における速度差によって生じる用紙の波打ち、あるいはカール等を安定的に除去する用紙搬送装置を提供できる。
【発明を実施するための最良の形態】
【００１０】
以下、本発明の画像形成装置の定着装置の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１１】
図１に示す画像形成装置１は、本発明の定着装置が搭載されたデジタル方式による画像形成装置であって、画像読取り部Ａ、画像処理部Ｂ、画像形成部Ｃ、用紙Ｐを供給搬送する用紙供給搬送部Ｄから構成されている。
【００１２】
画像読取り部Ａの上部には原稿を自動搬送する自動原稿送り手段が設けられていて、原稿載置台１１上に載置された原稿は原稿搬送ローラ１２によって１枚宛分離搬送され読み取り位置１３ａにて画像の読み取りが行われる。原稿読み取りが終了した原稿は原稿搬送ローラ１２によって原稿排紙皿１４上に排出される。
【００１３】
一方、プラテンガラス１３上に置かれた場合の原稿の画像は走査光学系を構成する照明ランプ及び第１ミラーから成る第１ミラーユニット１５の速度ｖによる読み取り動作と、Ｖ字状に位置した第２ミラー及び第３ミラーから成る第２ミラーユニット１６の同方向への速度ｖ／２による移動によって読み取られる。
【００１４】
読み取られた画像は、投影レンズ１７を通してラインセンサである撮像素子ＣＣＤの受光面に結像される。撮像素子ＣＣＤ上に結像されたライン状の光学像は順次電気信号（輝度信号）に光電変換されたのちＡ／Ｄ変換を行い、画像処理部Ｂにおいて濃度変換、フィルタ処理などの処理が施された後、画像データは、一旦メモリに記憶される。
【００１５】
画像形成部Ｃでは、画像形成ユニットとして構成される。像担持体であるドラム状の感光体２１が中心に配置する。感光体の外周に、帯電手段２２、帯電した感光体の表面電位を検出する電位検出手段２２０、現像手段２３、転写分離手段である転写極２４及び分離極２５、前記感光体２１のクリーニング装置２６及び光除電手段としてのＰＣＬ（プレチャージランプ）２７が各々動作順に配置されている。また、現像手段２３の下流側には感光体２１上に現像されたパッチ像の反射濃度を測定する反射濃度検出手段２２２が設けられている。感光体２１は、光導電性化合物をドラム基体上に塗布形成したもので、例えば有機感光体（ＯＰＣ）が好ましく使用され、図示の時計方向に駆動回転される。
【００１６】
回転する感光体２１へは帯電手段２２による一様帯電がなされた後、像露光手段としての露光光学系３０により画像処理部Ｂのメモリから呼び出された画像信号に基づいた像露光が行われる。書き込み手段である像露光手段としての露光光学系３０は図示しないレーザーダイオードを発光光源とし、回転するポリゴンミラー３１、ｆθレンズ３４、シリンドリカルレンズ３５を経て反射ミラー３２により光路が曲げられ主走査がなされるものである。像露光手段によって感光体２１に対してＡｏの位置において像露光が行われ、感光体２１の回転（副走査）によって潜像が形成される。本実施の形態の一例では文字部に対して露光を行い、潜像を形成する。
【００１７】
感光体２１上の潜像は現像手段２３によって反転現像が行われ、感光体２１の表面に可視像のトナー像が形成される。転写材搬送部Ｄでは、画像形成ユニットの下方に異なるサイズの用紙Ｐが収納された用紙収納手段としての給紙ユニット４１（Ａ）、４１（Ｂ）、４１（Ｃ）と搬送ローラ４３Ｄが設けられる。また、側方には手差し給紙を行う手差し給紙ユニット４２が設けられている。上記給紙ユニットから選択された給紙ユニットから給紙された用紙Ｐは案内ローラ４３によって搬送路４０に沿って給紙される。給紙された用紙Ｐは、レジストローラ対４４によって一時停止され用紙Ｐの傾きが修正される。その後に用紙Ｐは再給紙され、搬送路４０、転写前ローラ４３ａ、給紙経路４６及び進入ガイド板４７を経て転写位置Ｂｏに案内される。転写位置Ｂｏにおいて転写極２４によって感光体２１上のトナー画像が用紙Ｐ上に転写される。用紙Ｐは、分離極２５によって感光体２１面より分離され、搬送ベルト装置４５の搬送ベルト４５４に載置搬送されて定着装置５０に至る。
【００１８】
定着装置５０は、加熱手段として加熱源を持つ、回転体駆動部材としての加熱ローラ５１と加熱手段として加熱源を持たない加圧ローラ５９とを有しており、用紙Ｐを加熱ローラ５１と加圧ローラ５９との間を通過させることにより、加熱、加圧によってトナーを定着させる。
【００１９】
トナー画像の定着を終えた用紙Ｐは、経路切換ゲート１７１を通り、デカーラ機構１７３でカールを矯正されて排紙反転部１７０に搬送される。用紙Ｐは、用紙Ｐの後端が排紙反転部１７０の最上流に位置する第１搬送ローラ対１７６の直前に至ると、正逆方向に搬送の切換が可能である排紙反転部１７０によってスイッチバックされる。スイッチバックされた用紙Ｐは、今までの後端を先端にして反転排紙経路９１を経て排紙トレイ８１上に排出される。排紙反転部１７０の複数の搬送ローラ対を反転するスイッチバックは、第１搬送ローラ対１７６の上流に設置されている、用紙Ｐの後端の通過タイミングを検出する第１の後端検出器１７８Ａの検出信号に基づくタイミングで作動する。
【００２０】
以上は用紙Ｐの片側のみへの画像形成を行う場合を説明したものである。
【００２１】
一方、両面複写の場合も経路切換ゲート１７１が切り換わる。片面（表面）画像が転写されて定着された用紙Ｐは、破線矢印の方向に搬送されデカーラ機構１７３でカール矯正されて排紙反転部１７０の第１搬送路１７４に案内される。
【００２２】
更に、用紙Ｐは、第１搬送路の搬送ローラ対１７６、１７７により下流方向に搬送され、両面複写反転部１８０の第２搬送路１８１に案内される。用紙Ｐは、用紙Ｐの後端が第２搬送路１８１の最上流に位置する搬送ローラ対１８２の直前に至ると、正逆方向に搬送の切換が可能である搬送ローラ対１８２によってスイッチバックされる。そして、今までの後端を先端にして両面複写用の第３搬送路１８３内に搬送される。上記のスイッチバックは、搬送ローラ対１８２の上流に設置されている、第２の後端検出器１７８Ｂの検出信号に基づくタイミングで作動する。
【００２３】
用紙Ｐは、両面複写用の第３搬送路１８３内を各搬送ローラ１８４によって給紙方向に移動し、給紙ローラ１３２により搬送路４０に案内され、転写位置に向かって再給紙される。
【００２４】
用紙Ｐは上述したように再び感光体２１方向に搬送され、転写位置で裏面にトナー画像が転写される。そして、用紙Ｐは定着装置５０に再度搬送され、裏面にトナー画像が定着される。
【００２５】
両面に画像が定着された用紙Ｐは、経路切換ゲート１７１の切替えによって開放されたストレート排紙経路９２を通り排紙トレイ８１上に排紙される。
【００２６】
図２は図１の拡大図であり、代表的なデカーラ機構１７３を詳細に示している。図２の本発明の実施形態のデカーラ機構１７３は、剛性ローラ１７３Ａと弾性ローラ１７３Ｂのローラ対で構成される、シンプルなものである。デカーラ機構１７３は、上記ローラ対によって定着装置５０で上凸カールが付与された用紙Ｐに上記ローラ対によってニップ形状の応力を与え、用紙Ｐを下凸カールの方向に矯正して結果的として平坦に回復するようにしたものである。
【００２７】
剛性ローラ１７３Ａは外径がφ８であり、ＨＮＴＳ処理の施されたＳＵＭ材で製作される。剛性ローラ１７３Ａはその軸を固設された軸受で支持される。
【００２８】
弾性ローラ１７３Ｂは外径がφ２４であり、外径φ８の芯金に発泡シリコンゴム（アスカーＣ硬度が８°から１８°である）が被覆される。弾性ローラ１７３Ｂは、フレーム１７３Ｃの溝にスライド可能に支持された軸受で支持され、バネ１７３Ｄは、弾性ローラ１７３Ｂを剛性ローラ１７３Ａに押圧するために軸受に付勢している。
【００２９】
バネの付勢力で柔らかい弾性ローラ１７３Ｂは小径の剛性ローラ１７３Ａに深く食い込み、強い下凸形状のニップが形成される。
【００３０】
上記の下凸カールの矯正度は下凸形状の曲率及びニップ幅によって規定されるために、剛性ローラ１７３Ａと弾性ローラ１７３Ｂとの軸間距離を一定する技術構成を実施している。
【００３１】
剛性ローラ１７３Ａは連結する駆動部からの伝達により能動的に回転し、弾性ローラ１７３Ｂは剛性ローラ１７３Ａの面から摩擦力を受けて従動的に回転する。
【００３２】
本発明の第１の実施形態を図４に従って説明する。図４は、本発明に関わる排紙反転部１７０の第１搬送路１７４の拡大図である。
【００３３】
排紙反転部１７０の第１搬送路１７４は内側ガイド部材１７４Ａと外側ガイド部材１７４Ｂで構成される。内側ガイド部材１７４Ａは上流側の第１内側ガイド部材１７４Ｃと下流側の第２内側ガイド部材１７４Ｄで構成される。第１内側ガイド部材１７４Ｃと第２内側ガイド部材１７４Ｄは距離ｃだけ離間し、第１内側ガイド部材１７４Ｃと第２内側ガイド部材１７４Ｄの両表面は共通線ａ上に位置するように排紙反転部１７０に支持される。第２内側ガイド部材１７４Ｄの最上流部には、上記の共通線ａに対して角度θの傾斜をなすように裏面側へ突出し、用紙の幅方向に用紙の全幅に展開する面部１７４Ｆを備える。該面部１７４Ｆに補助ガイド１７５の一端側が固設されており、第２内側ガイド部材１７４Ｄは、補助ガイド１７５の先端が外側ガイド部材１７４Ｂに１ｍｍ程度近接する位置までに伸出すように補助ガイド１７５を保持する。
【００３４】
補助ガイド１７５は、ＰＥＴ（ポリエチレンテレフタレート）のシート材であり、先端部は研磨処理が施されている。先端の反対側の他端には接着代があり、この接着代が第２内側ガイド部材１７４Ｄの面部１７４Ｆに接着剤で接着される。ＰＥＴシートの厚みは０．１ｍｍである。ＰＥＴシートは用紙移動の幅方向の全面に展開している。これに限定されず、用紙移動の幅方向の複数箇所に幅狭いＰＥＴシートを分離して並べるように配設するようにしてもよい。
【００３５】
上記の実施形態は、以下の条件の場合に最も効果的である。
【００３６】
デカーラ機構１７３の用紙搬送速度をＶｄとし、搬送ローラ対１７６の用紙搬送速度をＶｔする。
【００３７】
上記の両用紙搬送速度Ｖｔ、Ｖｄについて想定される変動レンジを考慮しても、常に
Ｖｔ  ＞  Ｖｄ  なる関係が維持される。
【００３８】
図６は、上記実施形態の排紙反転部１７０の第１搬送路１７４においる定着済み用紙Ｐの挙動を表す図である。そして、Ｖｔ  ＞  Ｖｄ  なる関係が維持される場合である。
【００３９】
図５（ａ）はデカーラ機構１７３から放出される用紙Ｐの先端が移動し搬送ローラ対１７６へ至る軌跡を表す概念図である。破線は、用紙Ｐの先端が第１内側ガイド部材１７４Ｃの表面を沿って移動し、補助ガイド１７５の傾斜したガイド面に沿って案内され、外側ガイド部材１７４Ｂに近接、あるいは接触して移動し、搬送ローラ対１７６のニップへ至る、その間の軌跡を表す。
【００４０】
そして、一点鎖線は、用紙Ｐの先端が搬送ローラ対１７６に至った時点における用紙の姿勢を表す。用紙Ｐの先端が上記の破線と一点鎖線の間の様々な軌跡を辿るとしても、補助ガイド１７５の作用により一点鎖線のように規制され、搬送ローラ対１７６へ至ることになる。
【００４１】
図５（ｂ）は、用紙Ｐの後端がデカーラ機構から出る直前における用紙Ｐの姿勢と補助ガイド１７５の変形により補助ガイド１７５のガイド面１７５Ｂの変位した状態を示す概念図である。
【００４２】
ここでは上述のように、Ｖｄ＜Ｖｔの関係にあり、用紙Ｐの先端が搬送ローラ対１７６へ至った時点にあったデカーラ機構１７３と搬送ローラ対１７６に矜持される用紙の長さＬは、用紙Ｐの進行に伴い次第に減少し、後端がデカーラ機構１７３から脱出する直前が最も短くなる。用紙Ｐの先端が搬送ローラ対１７６に矜持された時点における用紙Ｐの姿勢を一点鎖線で示す。用紙Ｐの後端がデカーラ機構１７３を脱出する直前における用紙Ｐの姿勢を二点鎖線で示す。搬送ローラ対１７６の用紙搬送速度Ｖｔとデカーラ機構１７３の用紙搬送速度Ｖｄとの差であるＶｔ−Ｖｄは、主要部品の加工バラツキ、動作温度、劣化等により規定されるものであり、二点鎖線はＶｔ−Ｖｄにより様々に変化する。Ｖｔ−Ｖｄがこれ以上大きくなると、デカーラ機構１７３によって定着カールが修正された用紙Ｐに新たなしわが発生するような臨界が存在する。臨界にある用紙Ｐの姿勢を破線に示す。
【００４３】
従って、Ｖｔ−Ｖｄの想定される変化範囲に対して用紙Ｐの姿勢が破線に至らないようにすることが肝要になる。例えば、外側ガイド部材１７４Ｂと内側ガイド部材１７４Ａ、１７４Ｄとの間隙、補助ガイド１７５のガイド面１７５Ｂの長さ、配置等の設計仕様を適宜設定することになり、その設定自体は容易である。
【００４４】
上記の実施形態を第１搬送路に適用することにより、デカーラ機構１７３で定着カールの除去された用紙Ｐは、新たなしわ、波打ち等も生じることなく搬送ローラ対に搬送され、排紙反転部１７０でスイッチバックされ反転排紙路１７２を経てトレイ８１に排紙される。
【００４５】
従来技術の第１搬送路１７４は、図６（ａ）、図６（ｂ）に示すとおり、補助ガイドを備えておらず、固定配設された内側ガイド部材１７４Ａと外側ガイド部材１７４Ｂとによって湾曲経路を構成する。
【００４６】
定着済み用紙Ｐの先端がたまたま外側ガイド部材１７４Ｂに沿って移動し搬送ローラ対１７６に至る場合の用紙の挙動を図６（ａ）に示す。用紙Ｐの先端が搬送ローラ対１７６に至る時点における用紙Ｐの姿勢はｄ線のようになり、用紙Ｐの後端がデカーラ機構脱出する時点における用紙Ｐの姿勢はｅ線のようになる。従って、デカーラ機構１７３によって定着カールが修正された用紙Ｐは新たなしわの発生もなくスムーズに搬送される。ところが、用紙Ｐの先端が内側ガイド部材１７４Ａに沿って移動した場合の用紙の挙動を図６（ｂ）に示す。用紙Ｐの先端が搬送ローラ対１７６に至る時点における用紙Ｐの姿勢はｆ線のようになり、後端がデカーラ機構脱出する時点における用紙Ｐの姿勢はｇ線の状態になる。ｇ線のような状態では、搬送ローラ対１７６の摩擦搬送力に略等しい張力が用紙Ｐに働き、デカーラ機構１７３によって定着カールが修正された用紙Ｐには新たな紙シワが発生することなる。
【００４７】
逆にＶｔの方がＶｄより低い場合に、用紙の先端が外側ガイド部材１７４Ｂに沿って移動すると用紙Ｐの姿勢は図６（ａ）のｄ線のようになる。デカーラの用紙搬送速度が速いために波用紙Ｐのループは徐々に大きくなり外側ガイド部材１７４Ｂに到達し、更に経過すると用紙Ｐには波打ちが発生するようになる。そして、用紙Ｐの後端がデカーラ機構１７３から脱出するまでは用紙Ｐの波打ち状態は次第に酷くなる。
【００４８】
上述に示した本発明の実施形態（補助ガイドを第１搬送路に設けること）により、デカーラ機構の用紙搬送速度と搬送ローラ対の用紙搬送速度の不整合に起因する新たなデカーラ済み用紙に発生する波打ち及びシワの問題が解決できた。しかも、駆動速度制御等の複雑な機構を必要としないコンパクトな搬送装置を提供することができた。
【００４９】
図７は、本発明の他の実施形態である第２の実施形態の概念図である。ここでは第１の実施形態と異なり、外側ガイド部材１７４Ｂの側から内側ガイド部材１７４Ａに向けて傾斜状に突出し、先端が内側ガイド部材１７４Ａに１ｍｍ程度離間する位置にあるように補助ガイド１７５を外側ガイド部材１７４Ｂに設置する。
【００５０】
補助ガイド１７５の案内により、デカーラ機構１７３から様々な方向に放出される用紙Ｐの先端は、補助ガイド１７５の先端と内側ガイド部材１７４Ａとで形成される間隙を通過、内側ガイド部材１７４Ａの面に沿って移動し搬送ローラ対１７６に至る。
【００５１】
上記の実施形態では、以下の条件の場合に最も効果的である。
【００５２】
上記の両用紙搬送速度Ｖｔ、Ｖｄについて想定される変動レンジを考慮しても、
常に  Ｖｄ  ＞  Ｖｔ  なる関係が維持される。
【００５３】
搬送ローラ対１７６に用紙Ｐの先端が入った時点における用紙Ｐの姿勢は図８のｈ線に示すようになる。その後は、Ｖｔ  ＜  Ｖｄ  なる関係により、用紙の姿勢は外側ガイド部材１７４Ｂに向けて円弧状を維持しながら徐々にループが大きくなる。このループの拡大を許容するように補助ガイド１７５のガイド面１７５Ｂが変位する。上記実施形態では、ＰＥＴシート自体の弾性的な変形により補助ガイド１７５のガイド面１７５Ｂの変位が実現する。
【００５４】
第３の実施形態は、上述の第１の実施形態と第２の実施形態を併用する形態である。複数の補助ガイドを搬送経路の外側ガイド部材１７４Ｂと内側ガイド部材１７４Ａの両方の側から互いに対向するように配設し、外側ガイド部材１７４Ｂと内側ガイド部材１７４Ａとの間隙の中央付近に用紙Ｐの先端を集まるように案内する。用紙Ｐの先端が搬送ローラ対１７６に至た時点における用紙の姿勢は上記中央付近とデカーラ機構１７３から用紙Ｐが排出される排出点と搬送ローラ対のニップ点を共通する共通線に近い領域に占めるようになる。従って、この実施形態はＶｄ  ＞  Ｖｔ  なる関係の場合、
あるいはＶｄ  ＜  Ｖｔ  なる関係の場合のどちらにも対応できる長所がある。
【００５５】
図８は、本発明の他の実施形態である第４の実施形態の概念図である。補助ガイド２７５は、ポリカーボネート樹脂、ＡＢＳ樹脂等を成型して製作される補助ガイド部材２７５Ａと、補助ガイド部材２７５Ａを回転可能に支持する軸受２７５Ｃと、補助ガイド部材２７５Ａを外側ガイド部材１７４Ｂに近づける方向に回転させる付勢バネ２７５Ｄとで構成される。軸受２７５Ｃは、内側ガイド部材１７４Ａの面部１７４Ｆに固設される。軸受２７５Ｃにより回転可能に支持される。補助ガイド部材２７５Ａには用紙Ｐを第１内側ガイド部材１７４Ｃから外側ガイド部材１７４Ｂへ案内するガイド面２７５Ｂがあり、両側面には上記軸受２７５Ｃと嵌合する突起２７５Ｅがある。そして、補助ガイド部材２７５Ａのガイド面２７５Ｂが第２内側ガイド部材１７４Ｄの表面から角度θまでの範囲で変位可能する規制部２７５Ｆを内側ガイド部材１７４Ａに有する。補助ガイド部材２７５Ａは付勢バネ２７５Ｄによって回転し、ガイド面２７５Ｂが角度θの位置まで変位すると規制部２７５Ｆで停止する。ガイド面２７５Ｂの終端、すなわち補助ガイド部材２７５Ａの先端部２７５Ｃは、外側ガイド部材１７４Ｂから１ｍｍ離間する通常位置に設定される。
【００５６】
第４の実施形態の補助ガイド２７５は、第１の実施形態に補助ガイド１７５を置き換えたものであり、効果及びＶｄ、Ｖｔの適用範囲も第１の実施形態と同一である。
【００５７】
従って、第４の実施形態の補助ガイドは、第２及び第３の実施形態の補助ガイド１７５も置換でき、ほぼ同一の効果を発揮するものである。
【００５８】
上述の本発明は、他のデカーラ機構に対しても有効である。図３は、図２と異なる他の実施形態のデカーラ機構である。このデカーラ機構は、２本のローラ１７３Ｅ、１７３Ｆに張った無端ベルト１７３Ｈの中央部にローラ１７３Ｇを押圧し、そのニップ形状で用紙のカールを矯正するようにしたものである。ローラ１７３Ｇの回転軸受がフレーム１７３Ｉの溝の中をバネ１７３Ｊによってスライドして前記無端ベルト１７３Ｈに押圧するように配置し、前記２本のローラの何れかは前記デカーラ機構と同様に駆動部に連結し駆動するものである。
【図面の簡単な説明】
【００５９】
【図１】本発明が用いられる画像形成装置の断面構成図である。
【図２】本発明に関わるデカーラ機構の断面構成図である。
【図３】本発明に関わる他のデカーラ機構の断面構成図である。
【図４】本発明に用いられる排紙反転部の第１の実施形態の断面構成図である。
【図５】本発明が用いられる排紙反転部における用紙の挙動を表す概念図である。
【図６】本発明が用いられない従来の排紙反転部における用紙の挙動を表す概念図である。
【図７】本発明に用いられる排紙反転部の第２の実施形態の断面構成図である。
【図８】本発明に用いられる第４の実施形態の補助ガイドの断面構成図である。
【符号の説明】
【００６０】
１  画像形成装置
５０  定着装置
１７３  デカーラ機構
１７３Ａ  デカーラ機構の剛性ローラ
１７３Ｂ  デカーラ機構の弾性ローラ
１７４  第１搬送路
１７４Ａ  内側ガイド部材
１７４Ｂ  外側ガイド部材
１７４Ｃ  第１内側ガイド部材
１７４Ｄ  第２内側ガイド部材
１７５、２７５  補助ガイド
２７５Ａ  補助ガイド部材
１７５Ｂ、２７５Ｂ  ガイド面
１７６  搬送ローラ対
１７７  搬送ローラ対
Ｐ  用紙
【図１】
2009196803.tif 000003
【図２】
2009196803.tif 000004
【図３】
2009196803.tif 000005
【図４】
2009196803.tif 000006
【図５】
2009196803.tif 000007
【図６】
2009196803.tif 000008
【図７】
2009196803.tif 000009
【図８】
2009196803.tif 000010